(57)【要約】      （修正有）【課題】高級感を醸し出すことができると共に、柔らかい、優しい雰囲気で遺族等の心を和ませることができ、また装飾部の剥がれ等の問題を一掃できる装飾棺を提供する。【解決手段】外面を装飾する装飾部１を、立体状に形成している装飾棺であって、上記の装飾部１を、外面を覆う化粧布１ａと、この化粧布１ａの裏側に取り付ける弾性部材１ｂとで膨らみ状に形成する。この場合、弾性部材１ｂの裏側にシート片１ｃをあてがい、このシート片１ｃと一緒に弾性部材１ｂを化粧布１ａに取り付けるのが好ましい。また、弾性部材１ｂを装飾部１の外形を成すよう形作り、この弾性部材１ｂの輪郭部と、この輪郭部の内側を化粧布１ａに縫い付けて装飾部１を凹凸状に形成するのが好ましい。【選択図】図１
0003199247.tif 000002
【実用新案登録請求の範囲】
【請求項１】
外面を装飾する装飾部が、立体状に形成されている装飾棺であって、上記の装飾部が、外面を覆う化粧布と、この化粧布の裏側に取り付けられている弾性部材とで膨らみ状に形成されていることを特徴とする装飾棺。
【請求項２】
請求項１記載の装飾棺であって、弾性部材の裏側にシート片があてがわれ、このシート片と一緒に弾性部材が化粧布に取り付けられていることを特徴とする装飾棺。
【請求項３】
請求項２記載の装飾棺であって、弾性部材が装飾部の外形を成すよう形作られ、この弾性部材の輪郭部と、この輪郭部の内側が化粧布に縫い付けられて装飾部が凹凸状に形成されていることを特徴とする装飾棺。
【請求項４】
請求項１乃至３の何れかに記載の装飾棺であって、化粧布がベロア調生地であり、弾性部材がウレタンマットであることを特徴とする装飾棺。
【考案の詳細な説明】
【技術分野】
【０００１】
本考案は、棺に関し、更に詳しくは外面に装飾を施した装飾棺に関するものである。
【背景技術】
【０００２】
従来この種の棺としては、模様を印刷したシートを、蓋や棺本体の外面に貼り付けているものがある（例えば特許文献１参照）。
また従来、例えば特許文献２に記載されているように、蓋や棺本体の外面に貼り付けて使用する発泡合成樹脂製の装飾具も知られている。
【０００３】
而して、特許文献１の従来品は、上記の通り、平面状のシートで装飾するものである。そのため、この従来品によると、軽々しい、安っぽい印象を遺族等に与え易く、遺族等の心を和ませたり、やわらげたりするには不十分であった。
【０００４】
また、特許文献２の従来品は、棺の外面を立体的に装飾でき、見た目の斬新さや面白さを醸し出すことができるが、この従来品は、上記の通り、棺の外面に貼り付けて使用する装飾具である。
【０００５】
そのため、これによると、装飾具が、出棺等の際の振動や衝撃で過って剥がれることがあった。
またこの従来品は、装飾具が発泡合成樹脂で形成されているため、これによると、安っぽさや低級感を遺族や参列者に与えるおそれがあった。
【先行技術文献】
【特許文献】
【０００６】
【特許文献１】特開２００５−１０２８００号公報
【特許文献２】実用新案登録第３１６８６７９号公報
【考案の概要】
【考案が解決しようとする課題】
【０００７】
本考案は、このような従来品の問題点に鑑み、提案されたものである。
従って本考案の解決しようとする技術的課題は、高級感を醸し出すことができると共に、柔らかい、優しい雰囲気で遺族等の心を和ませることができ、また装飾部の剥がれ等の問題を一掃できるよう形成した装飾棺を提供することにある。
【課題を解決するための手段】
【０００８】
本考案は、上記の課題を解決するため、次のような技術的手段を採る。
即ち、本考案は、図１等に示されるように、外面を装飾する装飾部１が、立体状に形成されている装飾棺であって、上記の装飾部１が、外面を覆う化粧布１ａと、この化粧布１ａの裏側に取り付けられている弾性部材１ｂとで膨らみ状に形成されていることを特徴とする（請求項１）。
【０００９】
この場合、装飾部１は、箱形の棺本体２と、この棺本体２の開口状の上面を閉塞する蓋３の両方に形成されているのが好ましいが、本考案はこれに限定されるものではない。即ち、装飾部１は、棺本体２又は蓋３の何れかに形成されているのでも良い。また弾性部材１ｂとしては、例えば発泡性の合成樹脂材や綿、或いは軟質性のゴム材などがある。またここで、膨らみ状とは、柔らかい雰囲気を醸し出せるよう、角のない状態に形成されている、ということを意味する。
【００１０】
また本考案の装飾棺は、弾性部材１ｂの裏側にシート片１ｃがあてがわれ、このシート片１ｃと一緒に弾性部材１ｂが化粧布１ａに取り付けられているのが好ましい（請求項２）。
【００１１】
なぜなら、これによれば、弾性部材１ｂがシート片１ｃによって歪みや変形をきたすことなく、任意の形状にしっかりと取り付けでき、また取り付け作業をシート片１ｃによって容易にできるからである。
なお、弾性部材１ｂの取り付けは、通常、縫製加工で行うが、本考案は、これに限定されるものではない。即ち、本考案は、例えば、ホチキス等の器具により可燃性の針状部材を使用して弾性部材１ｂを化粧布１ａに止め付けたり、或いは接着等の手段で止め付けるのでも良い。
【００１２】
またこの場合、本考案は、弾性部材１ｂが装飾部１の外形を成すよう形作られ、この弾性部材１ｂの輪郭部１ｂ１と、この輪郭部１ｂ１の内側が化粧布１ａに縫い付けられて装飾部１が凹凸状に形成されているのが好ましい（請求項３）。
【００１３】
なぜなら、これによれば、弾性部材１ｂの輪郭部１ｂ１とその内側を縫い付けていくことで、簡単、迅速、楽に装飾部１を形作ることができるからである。
【００１４】
また本考案は、化粧布１ａがベロア調生地であり、弾性部材１ｂがウレタンマットであるのが好ましい（請求項４）。
【００１５】
なぜなら、これによれば、ベロア調生地が上質感や高級感を醸し出し、弾性部材１ｂと相俟って柔らかい優しい雰囲気を発揮し易くなるからである。またこれによると、入手が容易で比較的安価なウレタンマットにより、部品価格を抑えることができ、本考案品を安価に提供できるからである。なお、ここで、ベロア調生地としては、例えばベロアやビロードなどがある。
【考案の効果】
【００１６】
本考案は、このように外面を装飾する装飾部が、外面を覆う化粧布と、この化粧布の裏側に取り付けられている弾性部材とで膨らみ状に形成されている。
【００１７】
従って、これによれば、高級感や、柔らかで優しい雰囲気を醸し出すことができ、遺族等の心を和ませ、癒やすことができる。
また本考案は、弾性部材が化粧布の裏側に取り付けられ、化粧布で押さえられている。
従って、これによれば、外面に接着して使用する従来品に比べ、振動や衝撃等に強く、安心して運搬できる。
【図面の簡単な説明】
【００１８】
【図１】本考案の装飾棺の好適な一実施形態を示し、Ａは斜視図、ＢはＡのＢ−Ｂ線拡大断面図である。
【図２】装飾部の形成方法を説明するための分解斜視図である。
【図３】化粧布を裏側から見た状態の要部正面図である。
【図４】図３のＩＶ−ＩＶ線における拡大断面図である。
【図５】図１ＡのＶ−Ｖ線における要部断面図である。
【考案を実施するための形態】
【００１９】
本考案は、外面を装飾する装飾部１が、立体状に形成されている装飾棺である。装飾部１は、この実施形態では蓮の花を模してなり、上面が開口されている箱形の棺本体２と、この棺本体２の上面を閉塞する蓋３の両方に形成されている。
【００２０】
上記の装飾部１は、棺本体２と蓋３の外面を覆う化粧布１ａと、この化粧布１ａの裏側に取り付けられている弾性部材１ｂとで膨らみ状に形成されている。この実施形態の場合、化粧布１ａとしては、ベロアが使用され、全体の雰囲気が調和するよう、装飾部１の模様状態、及び色は同一の状態に仕上げられている。また弾性部材１ｂは、ウレタンマットである。
【００２１】
また弾性部材１ｂは、図１Ｂ、図２、図３等に示されるように、その裏側に、方形のシート片１ｃがあてがわれている。そして、弾性部材１ｂは、このシート片１ｃと一緒に、化粧布１ａに、この実施形態では縫い付けられている。
【００２２】
また弾性部材１ｂは、この実施形態では装飾部１の外形を成すよう形作られている。具体的には、図２に示されるように、弾性部材１ｂは、この実施形態では花冠を模して形作られている。そして、図３等に示されるように、輪郭部１ｂ１と、その内側が、花弁状の膨らみを呈するよう縫い付けられている。これにより、装飾部１は、縫い目１ｄの部分が凹んだ状態の凹凸状に形成されている。
【００２３】
而して、本考案品は、このようにして弾性部材１ｂが取り付けられた化粧布１ａで棺本体２と蓋３が覆われている。この場合、化粧布１ａは、位置ずれを起こさないよう、棺本体２等の外面に、接着等の手段で固定されている。
【００２４】
以上の処において、本考案は、シート片１ｃを省略し、弾性部材１ｂが、直接、化粧布１ａに縫い付け等の手段で取り付けられているのでも良い。
【００２５】
また上例のように、シート片１ｃを使用する場合でも、シート片１ｃが弾性部材１ｂより大きく形成される場合には限られない。即ち、シート片１ｃが弾性部材１ｂとほぼ同じ大きさに形成され、輪郭部１ｂ１と、その内側が縫い付けられて凹凸状に形成されているのでも良い。
【００２６】
また装飾部１は、上例のような蓮の花等には限られず、その他例えば、鳳凰等の図柄（模様）や、或いは感謝の言葉などでも良い。
また本考案は、棺本体２と蓋３に、同じ図柄が形成される場合には限られない。即ち、本考案は、装飾部１の図柄、言葉、色彩などの形態が、棺本体２と蓋３とで違えられているのでも良い。この場合は、本考案のデザインを、一層多様化でき、商品価値を高めることができる、という利点がある。
【符号の説明】
【００２７】
１      装飾部
１ａ    化粧布
１ｂ    弾性部材
１ｂ１  輪郭部
１ｃ    シート片
１ｄ    縫い目
２      棺本体
３      蓋
【図１】
0003199247.tif 000003
【図２】
0003199247.tif 000004
【図３】
0003199247.tif 000005
【図４】
0003199247.tif 000006
【図５】
0003199247.tif 000007